(57)【要約】【課題】プリント指定されたコマの画像を迅速に確認することができるデジタルカメラを提供することを目的とする。【解決手段】デジタルカメラ１０で撮像された画像ファイルとしてメモリカード６４に記録され、また、ＤＰＯＦ規格に従って各画像ファイルのプリント枚数がデジタルカメラ１０で設定されてプリント情報ファイルとしてメモリカードに記録される。１枚以上のプリントが指定されたコマのプリント指定を解除する場合に、プリント１コマ解除のモードに設定すると、プリント指定されたコマの画像のみが液晶モニター２８に１コマずつ切り換え可能に表示され、その画面でプリント指定を解除することができる。【選択図】  図４
2008005523.tif 000002
【特許請求の範囲】
【請求項１】
撮像手段によって撮像した各コマの画像及び該画像をプリントする際に参照される各コマのプリント枚数の情報を記録媒体に記録すると共に、前記画像を表示する表示手段を備えたデジタルカメラにおいて、
前記プリント枚数の情報によって１枚以上のプリントが指定された画像のみを前記表示手段に表示する再生機能を備えたことを特徴とするデジタルカメラ。
【請求項２】
前記再生機能は、プリントの指定を解除するモード時において前記プリント枚数の情報によって１枚以上のプリントが指定された画像のみを前記表示手段に表示することを特徴とする請求項１のデジタルカメラ。
【請求項３】
前記再生機能は、前記プリント枚数の情報によって１枚以上のプリントが指定された画像を１コマずつ前記表示手段に表示させると共に、所定の操作に基づいて前記表示手段に表示する画像を切り換えることを特徴とする請求項１又は２のデジタルカメラ。
【発明の詳細な説明】
【技術分野】
【０００１】
本発明はデジタルカメラに係り、撮影した画像のプリント枚数等のプリント情報の作成及び記録が可能なデジタルカメラに関する。
【背景技術】
【０００２】
現在、デジタルカメラで撮影されたデジタル画像の記録は、着脱可能なメモリカードや磁気ディスク等の記録媒体（リムーバブルメディア）に行われるのが一般的になっている。記録媒体に記録された画像は、モニタ上で鑑賞するだけでなく家庭用のパーソナルプリンタ等でプリントして鑑賞することも多くなっており、また、最近では、ラボにプリント注文することで写真フイルムと同様なプリントサービスを受けることもできるようになってきている。
【０００３】
近年のデジタルカメラの普及により、こうしたパーソナルプリンタやラボプリントサービスでのプリントの機会が増大すると予想され、このような状況下でのユーザメリットという観点から、最近では、ＤＰＯＦ（Digital Print Order Format) と呼ばれる規格が発表されている。
【０００４】
ＤＰＯＦ規格は、プリント枚数、トリミング等のプリント作成のためのプリント情報を電子化し、プリント情報を画像ファイルとともに記録媒体に格納するというもので、その画像ファイルやプリント情報の記録形式を統一化している。特にプリント情報を格納するファイル（ＤＰＯＦファイルと呼ばれるが本明細書ではプリント情報ファイルということにする。）はテキストファイル形式で記載し、画像ファイルとは別の１つのファイルとして記録媒体に記録することが規定されている。
【０００５】
このような規格に従ってプリント情報を画像ファイルと共にデジタルカメラやその関連機器で記録媒体に記録しておくことは、パーソナルプリンタでのプリント時やラボプリントサービスへのプリント注文時においてどのコマの画像を何枚プリントするのか、或いは、どのようなトリミングでプリントするのか等の指定が不要になるという点で効果的である。また、画像再生機能を持たないプリンタであっても所望のコマ画像を所望枚数だけプリントすることができるようになり、また、プリンタに画像再生機能を持たせる必要もなくなるという利点もある。
【発明の開示】
【発明が解決しようとする課題】
【０００６】
しかしながら、ＤＰＯＦ規格を運用するにあたって、プリント情報は画像ファイル内に付加されるのではなく、テキストファイル形式により画像ファイルとは別個のプリント情報ファイルとして記録されるため、各画像ファイルとプリント情報ファイルとは相互に無関係に削除することが可能である。このため、画像ファイルを自由に削除できるようにすると、不用意に画像ファイルが削除されてプリント情報においてプリント指定されている画像ファイル（一枚以上のプリントが指定されているもの）が存在しないという事態が生じるおそれがある。
【０００７】
このような事態を防止するための方法として、画像ファイルを削除する際には、プリント情報も同時に修正することが考えられる。しかしながら、この方法だと画像ファイルを削除する毎にプリント情報の内容を確認、修正することが必要となり、デジタルカメラでの処理に負担がかかり、動作が遅くなる等の欠点が生じる。
【０００８】
また、他の方法として、画像ファイルのタグ情報にプリント指定の有無を記入しておき、画像ファイルの削除の際には、このタグ情報を参照することでプリント情報を参照せずに処理することも考えられる。しかしながら、この方法では、タグ情報の運用を規定していないカメラでは効果がなく、また、プリント情報ファイル以外に画像ファイルにもプリント情報を持たせることになるため、記録媒体内の情報として冗長であり無駄が多くなるといった欠点がある。
【０００９】
一方、上述のようにデジタルカメラでプリント指定できるようにした場合において、各コマ毎にのみプリント指定を行えるようにすると、全てのコマをプリント指定したい場合に煩雑な手間を要するという問題がある。特に、写真フイルムにおける同時プリントと同様に、全てのコマについて１枚ずつのプリントを望むユーザが多いと考えられることから、デジタルカメラにおいても同時プリントと同様のサービスを簡易に行えるようにする必要がある。
【００１０】
本発明はこのような事情に鑑みてなされたもので、ＤＰＯＦ規格をデジタルカメラで運用する上で、ＤＰＯＦ規格本来の利便性を損なうことなく、プリント指定された画像ファイルの削除を適切に防止すると共に、デジタルカメラでのプリント指定の設定を好適に行うことができるデジタルカメラを提供することを目的とする。
【課題を解決するための手段】
【００１１】
上記目的を達成するために、請求項１に記載の発明は、撮像手段によって撮像した各コマの画像を画像ファイルとして記録媒体に記録するデジタルカメラにおいて、前記記録媒体に記録された画像のプリント時に参照される各コマ毎のプリント情報を作成するプリント情報作成手段と、前記プリント情報作成手段によって作成された各コマのプリント情報を１つのプリント情報ファイルとして前記記録媒体に記録するプリント情報記録手段と、前記プリント情報作成手段によって作成されたプリント情報のうち各コマのプリント枚数の情報によって少なくとも１枚以上のプリントが指定されることにより、該プリント指定されたコマの画像ファイルを、削除／変更が可能な通常のファイル属性から読み出しのみが可能な読み出し専用ファイル属性に変更する属性変更手段と、を備えたことを特徴としている。
【００１２】
本発明によれば、プリント指定されたコマの画像ファイルは、読み出し専用ファイル属性に自動で変更されるため、プリント指定されたコマの画像ファイルが不用意に削除される事態を確実に防止することができるようになる。
【００１３】
また、請求項６に記載の発明は、撮像手段によって撮像した各コマの画像及び該画像をプリントする際に参照される各コマのプリント枚数の情報を記録媒体に記録すると共に、前記画像を表示する表示手段を備えたデジタルカメラにおいて、前記プリント枚数の情報によって１枚以上のプリントが指定された画像のみを前記表示手段に表示する再生機能を備えたことを特徴としている。
【００１４】
本発明によれば、プリント指定されたコマの画像を迅速に確認することができるようになる。
【００１５】
また、請求項７に記載の発明は、撮像手段によって撮像した各コマの画像及び該画像をプリントする際に参照される各コマのプリント枚数の情報を記録媒体に記録するデジタルカメラにおいて、前記記録媒体に記録された全てのコマの画像に対して前記プリント枚数の設定を一括して行う全コマプリント枚数設定手段を備えたことを特徴としている。
【００１６】
本発明によれば、全コマをプリント指定する際の操作が容易となり、写真フイルムの同時プリントと同様のサービスを容易に受けることができるようになる。
【発明の効果】
【００１７】
本発明によれば、プリント指定されたコマの画像ファイルは、読み出し専用ファイル属性に自動で変更されるため、プリント指定されたコマの画像ファイルが不用意に削除される事態を確実に防止することができ、プリント指定されているにもかかわらずその画像ファイルが存在しないといった不都合が生じることを未然に防止することができる。
【００１８】
また、全コマを一括してプリント指定できるようにしたため、全コマをプリント指定する際の操作が容易となり、写真フイルムにおける同時プリントと同様のサービスを受けるための設定が容易となる。
【発明を実施するための最良の形態】
【００１９】
以下添付図面に従って本発明に係るデジタルカメラの好ましい実施の形態について詳説する。
【００２０】
図１乃至図３は本発明に係るデジタルカメラの外観を示した正面図、平面図、及び背面図である。図１に示すようにデジタルカメラ１０の正面には、撮影レンズ１２、ファインダー窓１４、ストロボ１６、ストロボ調光センサー１８等が設けられている。撮影レンズ１２の後方には図示せぬＣＣＤ（撮像素子）が配置されている。
【００２１】
図２に示すようにデジタルカメラ１０の上面には、レリーズボタン２２と電源スイッチ２４が設けられる。レリーズボタン２２は２段階式に構成され、レリーズボタン２２を軽く押して止める「半押し」の状態で自動ピント合わせ（ＡＦ）及び自動露出制御（ＡＥ）が作動してＡＦとＡＥをロックし、「半押し」から更に押し込む「全押し」の状態で撮影が実行される。
【００２２】
図３に示すようにデジタルカメラ１０の背面には、文字表示用液晶表示パネル２６、液晶モニター２８、モードスイッチ３０、十字カーソルボタン（上／下キー及び左／右キー）３２、及び、ファインダー３４等が設けられる。
【００２３】
前記文字表示用液晶表示パネル２６は、カメラの状態や撮影モード等に関する情報を表示するものであり、例えば、バッテリーチェック表示、撮影可能コマ数や再生コマ番号の表示、ストロボ発光の有無、マクロモード表示、記録画質（クオリティー）表示、画素数表示等の情報が表示される。
【００２４】
文字表示用液晶表示パネル２６の脇にはストロボボタン３６及びマクロボタン３８が配置され、ストロボボタン３６は、撮影の状況に合わせてストロボを発光させたり、発光を禁止する設定ボタンであり、マクロボタン３８は、近距離（マクロ）撮影モードに設定するボタンである。
【００２５】
前記液晶モニター２８は、ＣＣＤを介して撮影した画像や、本カメラに装填されたメモリカード（スマートメディア）から読み出した再生画像等を表示するものであり、後述するプリント情報の設定もこの液晶モニター２８を用いて行われる。液晶モニター２８の上部には、シフトボタン４０、表示ボタン４２、キャンセルボタン４４及びメニュー／実行ボタン４６が配置される。
【００２６】
前記モードスイッチ３０及び十字カーソルボタン３２は、中央のボタン部材とその外周に配置されたリング部材からなり、外周のモードスイッチ３０は、時計回転方向及び反時計回転方向の両方向に回動自在になっている。
【００２７】
モードスイッチ３０はカメラの機能（モード）を変更するもので、このモードスイッチ３０を回動操作することにより、例えば、撮影を行う撮影モード、撮影した画像を再生して各種設定を行う再生モード等のモードの選択を行うことができる。
【００２８】
十字カーソルボタン３２は、上下左右のいずれかの縁部を押圧することによって十字カーソルボタン３２が傾き、対応する４方向（上、下、右、左）の指示を入力できるようにしたもので、モード等の設定における各種設定項目の選択や、設定内容の変更を指示する操作ボタンとして使用されるとともに、電子ズームの倍率調整、ズーム中心の移動指示、再生コマの送り／戻しを指示する手段として用いられる。
【００２９】
また、図には示されていないがデジタルカメラ１０の一側面には、メモリカードを装着するホルダーが設けられている。メモリカードの種類として例えばスマートメディアが使用される。尚、記録媒体はこれに限らず、ＰＣカード、フラッシュメモリーカード、ＩＣカード、フロッピーディスク、光磁気ディスク（ＭＯ）等の他の種類であってもよい。
【００３０】
メモリカードは、ＣＣＤで撮影された画像を保存しておくものであるが、本デジタルカメラ１０ではＤＰＯＦ（Digital Print Order Format）規格の記録形式に従って、ＣＣＤで撮影された各コマの画像データを画像ファイルとして記録する他に、各コマの画像のプリント情報をプリント情報ファイル（ＤＰＯＦファイル）として記録する。プリント情報は、メモリカードに記録された画像をプリントする際に参照されるもので、例えば、プリント枚数やトリミング等に関する情報が記録可能で、各コマのプリント情報は１つのプリント情報ファイルにテキストファイル形式で記載されるようになっている。尚、本実施の形態では、プリント情報としてプリント枚数の設定が行えるものとする。
【００３１】
図４は、上記デジタルカメラ１０の構成を示したブロック図である。上記デジタルカメラ１０は、主として撮影レンズ１２、絞り５０、固体撮像素子（ＣＣＤ）５２、アナログ信号処理回路５４、デジタル信号処理回路５８、メモリ（ＤＲＡＭ）６０、圧縮伸張回路６２、メモリカード６４、液晶モニター２８、中央処理装置（ＣＰＵ）６６等を有している。
【００３２】
ＣＰＵ６６は、上記レリーズボタン２２、モードスイッチ３０、十字カーソルボタン３２等のスイッチ６８からの信号入力に基づいて各回路を総括的に制御する。いま、電源スイッチ２４をオンにすると、ＣＰＵ６６は電源コントロール回路７０にコマンドを送り、一次電池又は二次電池７２から電源コントロール回路７０を介してカメラの各部に電源を供給し、各回路を動作可能にする。
【００３３】
ここで、モードスイッチ３０を操作してカメラを撮影モードにし、レリーズボタン２２を押すと、ＣＰＵ６６はこれを検知し、コントロール回路７４にコマンドを送る。コントロール回路７４は、電源コントロール回路７０から与えられる電源により撮影レンズ駆動部７６を駆動してフォーカス制御を行うとともに、絞り５０やＣＣＤ５２での電荷蓄積時間を制御することにより露出制御を行う。尚、ズーム指令により、撮影レンズ１２をズーム駆動することができるようになっている。
【００３４】
撮影レンズ１２及び絞り５０を介してＣＣＤ５２の受光面に入射した被写体光は、ここでＣＣＤ５２の各センサに入射する光量に応じた量の信号電荷に変換され、この信号電荷は、クロックパルスに基づいて信号電荷に応じた電圧信号（画像信号）として順次読み出される。ＣＣＤ５２から出力された画像信号は、アナログ信号処理回路５４に加えられる。アナログ信号処理回路５４は、ＣＤＳクランプ、ゲインコントロールアンプ等を有しており、ここで画像信号のサンプリングやホワイトバランス調整等が行われる。このアナログ信号処理回路５４で処理された画像信号は、Ａ／Ｄコンバータ５６でＲ、Ｇ、Ｂのデジタル信号に変換されてデジタル信号処理回路５８に加えられる。
【００３５】
デジタル信号処理回路５８は、ガンマ補正回路、ＹＣ信号作成回路等を含み、前記Ｒ、Ｇ、Ｂのデジタル信号のガンマ補正、Ｒ、Ｇ、Ｂ信号のＹＣ信号（輝度信号Ｙとクロマ信号Ｃ）への変換等の処理を行い、ＹＣ信号をバスを介してメモリ６０に格納する。メモリ６０に格納されたＹＣ信号は、バスを介して圧縮伸張回路６２に転送され、この圧縮伸張回路６２によって所定の形式に圧縮された後、カメラに着脱自在なメモリカード６４に記録される。尚、メモリカード６４には各コマの画像データが画像ファイルとして記録される。
【００３６】
また、デジタル信号処理回路５８で生成されたＹＣ信号は、Ｄ／Ａコンバータ７８を介してビデオ出力端子より外部出力されると共に、デジタルカメラ１０の背面に設置された液晶モニター２８に出力される。これにより、撮影モード時にはＣＣＤ５２で撮像された画像が液晶モニター２８に表示される。尚、再生モード時にはメモリカード６４に記録された画像が圧縮伸張回路６２によって解凍された後、液晶モニター２８に出力され、液晶モニター２８に再生画像が表示されるようになっている。
【００３７】
次に、上記デジタルカメラ１０のモードをモードスイッチ３０によって再生モードに設定した場合の操作及び処理について説明する。本デジタルカメラ１０では、上述のようにしてメモリカード６４に記録された各コマの画像ファイルに対してプリント時のプリント枚数をプリント情報として設定することができ、そのプリント情報を、画像ファイルと共にメモリカード６４に記録することができるようになっている。このようなプリント情報（プリント枚数）の作成は、上述のＤＰＯＦ規格に従って行われるもので、各コマに関するプリント情報は、画像ファイルとは別の１つのプリント情報ファイルにテキスト形式で記載される。以下、プリント情報の作成に関連する操作及び処理について説明する。
【００３８】
まず、モードスイッチ３０を再生モードに合わせると、最後に撮影されたコマの再生画像が液晶モニター２８に表示される。ここで、メニュー／実行ボタン４６（以下、単に実行ボタン４６という）を押すと、液晶モニター２８には図５に示すような再生メニュー画面が再生画像に重ねて表示される。図中では再生画像の表示内容については省略している（以下、同様）。再生メニュー画面の下欄には、各種メニューを選択するアイコンが表示され、十字カーソルボタン３２を操作してカーソルを右端のアイコンに合わせ、実行ボタン４６を押すと、プリント指定モードとなり、図６（Ａ）に示すようなプリントメニュー画面が表示される。
【００３９】
プリントメニュー画面には、「コマ設定」、「確認／解除」、「全コマ設定」、「全コマ解除」といったプリント指定関連項目が表示される。ここで、十字カーソルボタン３２を操作していずれかのプリント指定関連項目を選択することでプリント指定関連モードに入ることができる。
【００４０】
まず、「コマ設定」を選択した場合について説明する。「コマ設定」を選択すると、１コマプリント指定のモードに遷移する。このモードは、本モード選択中に液晶モニター２８にて再生中のコマのプリント指定及びそのプリント枚数の指定を行うもので、液晶モニター２８には、再生中のコマの再生画像に重ねて、図６（Ｂ）に示すような枚数設定画面が表示される。本画面の中央に表示されている矩形枠内の数字は現在液晶モニター２８に再生されているコマのプリント枚数を示し、このプリント枚数は、十字カーソルボタン３２の上下方向の指定操作で増加又は減少させることができる。ここで、０に設定すればプリント指定は解除され、１以上に設定すればその枚数のプリント指定が設定される（図６（Ｃ）参照）。プリント枚数を設定した後、実行ボタン４６を押すと、再生中のコマのプリント枚数が確定し、図６（Ｄ）のような確認画面が数秒表示された後、図６（Ａ）のプリントメニュー画面に復帰する。
【００４１】
一方、プリント枚数を確定する前にキャンセルボタン４４を押すと、このときの枚数設定画面の設定内容はキャンセルされ、もとのプリント枚数の設定が維持されて図６（Ａ）のプリントメニュー画面に復帰する。
【００４２】
尚、液晶モニター２８に再生するコマは十字カーソルボタン３２の左右方向の指定操作によって切り替えることが可能で、再生するコマを切り替えて上述の操作を実行することにより各コマのプリント指定を行うことができる。更に、表示ボタン４２を押すことにより、液晶モニター２８の表示を１コマ表示と、複数コマを同時に表示するマルチ表示とに切り替えることができるようになっており、マルチ表示で上述のプリント指定を行う場合には、プリント指定の対象となるコマを十字カーソルボタン３２を操作して選択する。選択されたコマは、例えば、太枠で他のコマと区別されて表示されるため容易に確認できる。
【００４３】
以上の操作により、再生コマのプリント枚数が確定すると、ＣＰＵ６６は、そのプリント指定及びプリント枚数をプリント情報ファイルに追記編集し、そのプリント情報ファイルをメモリカード６４に記録する。
【００４４】
また、ＣＰＵ６６は、１枚以上のプリントが指定されたコマ、即ち、プリント指定されたコマの画像ファイルを削除／変更が禁止される読み出し専用ファイル属性に自動的に変更する。これにより、プリント指定されたコマの画像ファイルが削除されるのを未然に防止する。尚、各画像ファイルの属性は、メモリカードの所定の管理領域に記録されている。また、画像ファイルの削除は、図５の再生メニュー画面において左端のアイコンを選択することにより行うことができるようになっている。
【００４５】
以上の１コマプリント指定の操作及び処理手順を示したフローチャートを図７に示す。図６（Ａ）のプリントメニュー画面において、「コマ設定」が選択され１コマプリント指定が開始すると、ＣＰＵ６６は、上記図６（Ｂ）に示した枚数選択画面を液晶モニター２８に表示させる。ここで、まず、ユーザは、現在液晶モニター２８に再生されているコマの再生画像を見て、その再生コマのプリント指定を行うか否かを選択する（ステップＳ１０）。ＮＯの場合には、再生コマを変更するか否かを選択し（ステップＳ１２）、続いてＮＯの場合、即ち、プリント指定を行わない場合にはキャンセルボタン４４を押して、１コマプリント指定のモードを終了させる。
【００４６】
一方、上記ステップＳ１２でＹＥＳの場合、即ち、再生コマを変更する場合には、十字カーソルボタン３２の左右方向の指定操作によって再生コマを１コマ送り（ステップＳ１４）、ステップＳ１０〜Ｓ１４の操作を繰り返し実行して液晶モニター２８に所望のコマの再生画像を表示させる。
【００４７】
以上の操作によりステップＳ１０においてＹＥＳとなった場合には、次に、十字カーソルボタン３２の上下方向の指定操作によってプリント枚数を増加又は減少させて再生コマのプリント枚数を設定する（ステップＳ１６）。そして、そのプリント枚数が所望のプリント枚数となったか否かを判断し（ステップＳ１８）、ＮＯの場合には、所望の枚数となるまで、ステップＳ１６及びＳ１８の処理を繰り返し行う。所望の枚数となった場合、ユーザは実行ボタン４６を押してプリント枚数を確定する。
【００４８】
このようにして再生コマのプリント枚数が確定すると、ＣＰＵ６６は、その再生コマについて確定したプリント枚数をプリント情報ファイルに追記編集し、そのプリント情報ファイルをメモリカード６４に記録する（ステップＳ２０）。
【００４９】
また、ＣＰＵ６６は、そのプリント指定されたコマの画像ファイルの属性をメモリカード６４の管理領域の属性データで確認する（ステップＳ２２）、もし、削除／変更が可能なファイル属性（通常のファイルの属性）であった場合には、その画像ファイルを削除／変更が禁止されるファイル属性、即ち、読み出し専用ファイル属性に変更する（ステップＳ２４）。画像ファイルがもともと読み出し専用ファイル属性であった場合には属性の変更を行わないようにする。尚、ファイル属性は、後述のプロテクトモードによってユーザが一定の条件のもとで任意に変更できるようになっている。
【００５０】
以上の操作及び処理が終了すると、ＣＰＵ６６は、液晶モニター２８に図６（Ｄ）の確認画面を数秒表示させた後、図６（Ａ）のプリントメニュー画面を再度表示させ、１コマプリント指定を終了させる。
【００５１】
次に、上記図６（Ａ）のプリントメニュー画面おいて「全コマ設定」を選択した場合について説明する。「全コマ設定」を選択すると、全コマプリント指定のモードに遷移する。このモードは、再生中のメモリカード６４内に記録されている全コマに対して１枚ずつのプリント指定を行うもので、このプリント指定を行うことで写真フイルムにおける同時プリントと同様のプリントサービスを容易に受けることができる。
【００５２】
全コマプリント指定のモードに遷移すると、液晶モニター２８には、図８（Ａ）に示すような設定画面が表示される。ここでは単に、全コマプリント指定を設定するか、中止するかを指定するというもので、この設定画面で実行ボタン４６を押すと全コマのプリント指定が確定され、図８（Ｂ）に示すような確認画面が数秒表示された後、図６（Ａ）のプリントメニュー画面に復帰する。一方、図８（Ａ）の設定画面においてキャンセルボタン４４を押すと、全コマプリント指定の設定が中止される。
【００５３】
以上の操作により、全コマのプリント指定が確定すると、ＣＰＵ６６は、これまでにプリント情報ファイルに記録されている各コマのプリント枚数を無効にし、全てのコマに対して１枚ずつのプリント指定をプリント情報ファイルに追記編集する。そして、そのプリント情報ファイルをメモリカード６４に記録する。また、ＣＰＵ６６は、全てのコマの画像ファイルを読み出し専用ファイルに変更し、全ての画像ファイルに対して削除を禁止する。
【００５４】
以上の操作及び処理手順を示したフローチャートを図９に示す。図６（Ａ）のメニュー画面において「全コマ設定」が選択され全コマプリント指定が開始すると、ＣＰＵ６６は、上記図８（Ａ）の設定画面を液晶モニター２８に表示させる。この設定画面においてユーザは全コマをプリント指定するか否かを選択する（ステップＳ３０）。ＮＯの場合には、キャンセルボタン４４を押して、全コマプリント指定を終了する。
【００５５】
一方、ＹＥＳの場合には、実行ボタン４６を押す。これにより、ＣＰＵ６６は、メモリカード６４に記録された全コマの画像ファイルの検索を開始し（ステップＳ３２）、検索した画像ファイルの順に、プリント枚数１枚でプリント指定するようにプリント情報ファイルを追記編集する（ステップＳ３４）。
【００５６】
また、ＣＰＵ６６は、検索中の画像ファイルの属性をメモリカード６４の管理領域の属性データで確認する（ステップＳ３６）、もし、通常のファイル属性であった場合には、その画像ファイルを読み出し専用ファイル属性に変更する（ステップＳ３８）、一方、ＹＥＳであれば問題がないのでそのまま次の処理に移る。
【００５７】
次に、ＣＰＵ６６は、プリント指定されていないコマの画像ファイルがあるか否かを判断し（ステップＳ４０）、ＹＥＳの場合には、そのプリント指定されていないコマの画像ファイルを検索し（ステップＳ４２）、ステップＳ３４からの処理を繰り返し実行する。これにより、ステップＳ４０においてＮＯと判定すると、ＣＰＵ６６は、作成したプリント情報ファイルをメモリカード６４に記録すると共に、液晶モニター２８に図８（Ｂ）の確認画面を数秒表示させた後、図６（Ａ）のプリントメニュー画面を再度表示させ、全コマプリント指定を終了させる。
【００５８】
以上により、全コマに対してプリント枚数が１枚でプリント指定される。
【００５９】
ここで、上述の全コマプリント指定に関して他の実施の形態を説明する。図１０は、全コマプリント指定の第２の実施の形態を示したフローチャートである。ここで示す全コマプリント指定は、プリント指定されていないコマに対して１枚ずつのプリント指定を行うというものである。図６（Ａ）のメニュー画面において「全コマ設定」が選択され全コマプリント指定が開始すると、ＣＰＵ６６は、上記図８（Ａ）の設定画面を液晶モニター２８に表示させる。この設定画面においてユーザは全コマをプリント指定するか否かを選択する（ステップＳ５０）。ＮＯの場合には、キャンセルボタン４４を押して、全コマプリント指定を終了する。
【００６０】
一方、ＹＥＳの場合には、実行ボタン４６を押す。これにより、ＣＰＵ６６は、メモリカード６４に記録された全コマの画像ファイルのうちプリント指定されていないコマの画像ファイルを検索し（ステップＳ５２）、検索した画像ファイルをプリント枚数１枚でプリント指定するようにプリント情報ファイルを追記編集する（ステップＳ５４）。
【００６１】
また、ＣＰＵ６６は、検索中の画像ファイルの属性をメモリカード６４の管理領域の属性データで確認する（ステップＳ５６）、もし、通常のファイル属性であった場合には、その画像ファイルを読み出し専用ファイル属性に変更する（ステップＳ５８）、一方、ＹＥＳであれば問題がないのでそのまま次の処理に移る。
【００６２】
次に、ＣＰＵ６６は、プリント指定されていない画像ファイルがあるか否かを判断する（ステップＳ６０）。ＹＥＳの場合には、上記ステップＳ５２からの処理を繰り返し実行する。これにより、ステップＳ６０においてＮＯと判定すると、ＣＰＵ６６は、作成したプリント情報ファイルをメモリカード６４に記録すると共に、液晶モニター２８に図８（Ｂ）の確認画面を数秒表示させた後、図６（Ａ）のプリントメニュー画面を再度表示させ、全コマプリント指定を終了させる。
【００６３】
以上により、すでにプリント指定されているコマに関してはプリント枚数を変更せず、プリント指定されていないコマに関しては、１枚のプリント指定に一括して変更することができる。
【００６４】
図１１は、全コマプリント指定の第３の実施の形態を示したフローチャートである。ここで示す全コマプリント指定は、全てのコマのプリント枚数を一枚ずつ増加させるというものである。図６（Ａ）のメニュー画面において「全コマ設定」が選択され全コマプリント指定が開始すると、ＣＰＵ６６は、上記図８（Ａ）の設定画面を液晶モニター２８に表示させる。この設定画面においてユーザは全コマをプリント指定するか否かを選択する（ステップＳ７０）。ＮＯの場合には、キャンセルボタン４４を押して、全コマプリント指定を終了する。
【００６５】
一方、ＹＥＳの場合には、実行ボタン４６を押す。これにより、ＣＰＵ６６は、メモリカード６４に記録された全コマの画像ファイルの検索を開始し（ステップＳ７２）、検索した画像ファイルの順に、現在のプリント枚数に１枚を加算したプリント枚数が新たなプリント枚数となるようにプリント情報ファイルを追記編集する（ステップＳ７４）。
【００６６】
また、ＣＰＵ６６は、検索中の画像ファイルの属性をメモリカード６４の管理領域の属性データで確認する（ステップＳ７６）、もし、通常のファイル属性であった場合には、その画像ファイルを読み出し専用ファイル属性に変更する（ステップＳ７８）、一方、ＹＥＳであれば問題がないのでそのまま次の処理に移る。
【００６７】
次に、ＣＰＵ６６は、プリント指定されていないコマの画像ファイルがあるか否かを判断し（ステップＳ８０）、ＹＥＳの場合には、そのプリント指定されていないコマの画像ファイルを検索し（ステップＳ８２）、ステップＳ７４からの処理を繰り返し実行する。これにより、ステップＳ８０においてＮＯと判定すると、ＣＰＵ６６は、作成したプリント情報ファイルをメモリカード６４に記録すると共に液晶モニター２８に図８（Ｂ）の確認画面を数秒表示させた後、図６（Ａ）のプリントメニュー画面を再度表示させ、全コマプリント指定を終了させる。
【００６８】
以上により、全コマのプリント枚数を一括して一枚加算することができる。
【００６９】
尚、上記全コマプリント指定の方法ではメモリカード６４に記録されている全てのコマを対象に一括してプリント枚数を設定するようにしたが、これと同様にして、例えば、プリント指定する対象のコマを予めマルチ画面等で複数選択できるようにし、選択したコマに対してのみ一括してプリント指定できるようにしてもよい。
【００７０】
次に、上記図６（Ａ）のメニュー画面において「確認／解除」を選択した場合について説明する。「確認／解除」を選択すると、プリント１コマ解除のモードに遷移する。このモードは、プリント指定されたコマの画像ファイルの再生又はプリント指定の解除を行うもので、液晶モニター２８には、プリント指定されている所定の再生画像に重ねて、図１２（Ａ）に示すようにその表示画像のプリント指定を解除してよいか否かを確認する「ＯＫ？」の文字が表示される。
【００７１】
液晶モニター２８に再生されるコマの画像は、十字カーソルボタン３２の左右方向の指定操作によってプリント指定されている他のコマの画像に切り換えることができるようになっており、この操作によってプリント指定を解除する対象のコマを選択することができると共に、この操作のみ行うことでプリント指定されているコマの画像を確認することができるようになっている。
【００７２】
尚、表示ボタン４２をオンすることにより、プリント指定されているコマの画像をマルチ表示に切り替えることができ、このマルチ表示画面では削除対象のコマの輪郭が太枠で表示される。
【００７３】
ユーザは、上述のように十字カーソルボタン３２の左右方向の指定操作によってプリント指定されているコマの画像を確認すると共に、プリント指定を解除したい画像が液晶モニター２８に表示された場合には、その画像が表示されている状態で実行ボタン４６を押す。これにより、そのコマのプリント指定が解除される。実行ボタン４６を押した後は、図１２（Ｂ）のような確認画面が数秒間表示された後、図６（Ａ）のメニュー表示画面に復帰する。尚、図１２（Ａ）の表示画面において実行ボタン４６を押す前にキャンセルボタン４４を押すと、図６（Ａ）のメニュー表示画面に復帰する。
【００７４】
ＣＰＵ６６は、上述の操作によりプリント指定が解除された場合には、そのプリント枚数が０枚となるようなプリント情報ファイルを追記編集し、そのプリント情報ファイルをメモリカード６４に記録する。
【００７５】
次に、上記図６（Ａ）のメニュー画面において「全コマ解除」を選択した場合について説明する。「全コマ解除」を選択すると、全コマプリント指定解除のモードに遷移する。このモードは、全コマのプリント指定を一括して解除するもので、液晶モニター２８には、図１３（Ａ）に示すように全コマのプリント指定を解除してよいか否かを確認する「ＯＫ？」の文字が表示される。
【００７６】
ユーザは、全コマのプリントの解除を実行する場合には、実行ボタン４６を押す。これにより、全コマのプリント指定が解除され、図１３（Ｂ）に示すような確認画面が表示された後、図６（Ａ）のメニュー表示画面に復帰する。尚、実行ボタン４６を押す前にキャンセルボタン４４を押すと、設定は無効になり、図１１（Ａ）のメニュー画面に復帰する。
【００７７】
ＣＰＵ６６は、上述の操作によりプリント指定が解除された場合には、全コマのプリント枚数が０枚となるようなプリント情報ファイルを編集し、そのプリント情報ファイルをメモリカード６４に記録する。
【００７８】
次に、図５に示した再生メニュー画面において「プロテクト」のアイコンを選択した場合について説明する。再生メニュー画面において「プロテクト」のアイコンを選択すると、プロテクトモードとなり、図１４（Ａ）に示すようなプロテクトメニュー画面が表示される。プロテクトモードは、画像ファイルの属性を削除／変更が可能な通常のファイル属性と、削除／変更が禁止される読み出し専用ファイル属性とに変更するためのものであり、プロテクトされた画像ファイルは読み出し専用ファイル属性に設定され、プロテクトが解除された画像ファイルは通常のファイルに設定される。
【００７９】
プロテクトメニュー画面には、図１４（Ａ）に示すように「１コマ設定」、「全コマプロテクト」、「全コマ解除」といった関連項目が表示される。ここで、十字カーソルボタン３２を操作していずれかの関連項目を選択することで、その関連項目が実行される。
【００８０】
まず、「１コマ設定」を選択した場合について説明する。上記プロテクトメニュー画面において「１コマ設定」を十字カーソルボタン３２によって選択し、実行ボタン４６を押すと、液晶モニター２８に再生されているコマのプロテクトの状態が変更される。即ち、実行ボタン４６を押すごとにプロテクトとプロテクト解除がトグルで変更される。実行ボタン４６を押したときには図１４（Ｂ）のような確認画面が表示される。
【００８１】
プロテクト又はプロテクト解除の対象となるコマは、上記プリント指定の場合と全く同様に十字カーソルボタン３２の左右方向の指定操作等によって所望のコマを液晶モニター２８に表示させることで切り替えることが可能であるため、各コマ毎にプロテクトとプロテクト解除とを設定することができる。
【００８２】
ここで、上述のプリント情報ファイルにおいてプリント指定されたコマに対してプロテクトを解除しようとした場合には、液晶モニター２８に警告が表示され、プロテクト解除が禁止されるようになっている。これにより、プリント情報ファイルでプリント指定されているコマの画像ファイルの削除が防止され、プリント指定されているコマの画像ファイルが存在しないという不具合が防止される。    
【００８３】
このときの操作及び処理手順を示したフローチャートを図１５に示す。図１４に示したプロテクトメニュー画面において、ユーザは現在液晶モニター２８に再生されているコマのプロテクトの設定（変更）を行うか否かを選択し（ステップＳ９０）、変更する場合には、「１コマ設定」を選択し、実行ボタン４６を押す。変更しない場合には、実行ボタン４６を押さずに終了する。
【００８４】
ＣＰＵ６６は、実行ボタン４６が押されると、メモリカード６４に記録されているプリント情報ファイルを参照し、液晶モニター２８に再生されているコマがプリント指定されているか否かを確認する（ステップＳ９２）。もし、プリント指定されていない場合には、そのコマの画像ファイルを現在のファイル属性から変更する（ステップＳ９４）。即ち、現在、通常のファイル属性である場合には読み出し専用ファイル属性に変更し、現在、読み出し専用ファイル属性である場合には通常のファイル属性に変更する。
【００８５】
一方、再生コマがプリント指定されている場合には、そのファイル属性の変更、即ち、通常のファイル属性への変更を禁止し、液晶モニター２８に警告を表示させる（ステップＳ９６）。
【００８６】
以上の処理が終了すると、図１４（Ａ）のプロテクトメニュー画面に復帰する。
【００８７】
これにより、プリント指定されている画像ファイルのプロテクト解除が禁止され、プリント指定されている画像ファイルが不用意に消去されるといった不具合が確実に防止される。
【００８８】
次に、上記図１４（Ａ）に示したプロテクトメニュー画面の「１コマ設定」以外の項目を選択した場合について説明する。まず、「全コマプロテクト」を選択し、実行ボタン４６を押した場合、全コマプロテクト確認画面が図１６のように表示される。ここで実行ボタン４６を押すと、全てのコマの画像ファイルが一括して読み出し専用ファイル属性に変更され、図１４（Ａ）のプロテクトメニュー画面に復帰する。一方、キャンセルボタン４４を押すと、ファイル属性の変更は行われずに図１４（Ａ）のプロテクトメニュー画面に復帰する。
【００８９】
一方、「全コマ解除」を選択し、実行ボタン４６を押した場合、全コマ解除確認画面が図１７のように表示される。ここで実行ボタン４６を押すと、ＣＰＵ６６はメモリカード６４に記録されているプリント情報ファイルを参照し、いずれかのコマがプリント指定されていないかを確認する。どのコマもプリント指定されていない場合には全てのコマの画像ファイルを通常のファイル属性に変更し、図１４（Ａ）のプロテクトメニュー画面に復帰する。これに対していずれかのコマがプリント指定されている場合には、液晶モニター２８に警告を表示してファイル属性の変更を禁止し、図１４（Ａ）のプロテクトメニュー画面に復帰する。これにより、プリント指定されたコマの画像ファイルが削除されるのを防止する。尚、プリント指定されていないコマのプロテクトのみを解除するようにしてもよい。図１７の全コマ解除確認画面でキャンセルボタン４４を押した場合には、プロテクト解除を中止し、図１４（Ａ）のプロテクトメニュー画面に復帰する。
【００９０】
以上のようにプリント指定されているコマの画像ファイルのプロテクト解除を禁止することにより、プリント指定された画像ファイルが削除される不具合が未然に防止される。
【００９１】
以上、上記実施の形態では、一旦プリント指定されたコマのプリント指定が後に解除された場合には、そのコマの画像ファイルはプロテクトされたままの状態に維持されるようになっていたが、これに限らず、プリント指定が解除された場合には、同時にプロテクトも解除されるようにしてもよい。又は、プリント指定が解除された場合には、ユーザがプロテクトを解除するか否かを選択するようにしてもよい。
【００９２】
また、上記実施の形態では、プリント指定されたコマの画像ファイルは自動的にプロテクトされるようになっていたが、逆にプロテクトされたコマの画像ファイルは自動的にプリント指定されるようにしてもよい。
【００９３】
また、上記実施の形態では、全コマプリント指定の場合には、各コマに対して１枚ずつプリント指定されるようにしていたが、これに限らず、プリント枚数を任意に設定できるようにしてもよい。
【００９４】
また、上記実施の形態ではプリント情報ファイルの情報としてプリント枚数の設定のみを行うようにしたが、これに限らず、トリミング等のＤＰＯＦ規格で定められている他の情報も設定できるようにしてもよい。
【図面の簡単な説明】
【００９５】
【図１】図１は、本発明に係るデジタルカメラの外観を示した正面図である。
【図２】図２は、本発明に係るデジタルカメラの外観を示した平面図である。
【図３】図３は、本発明に係るデジタルカメラの外観を示した背面図である。
【図４】図４は、本発明に係るデジタルカメラの構成を示したブロック図である。
【図５】図５は、再生メニュー画面を示した図である。
【図６】図６（Ａ）、（Ｂ）、（Ｃ）、（Ｄ）は、それぞれプリントメニュー画面、１コマプリント指定におけるプリント枚数設定画面、プリント枚数変更後のプリント枚数設定画面、及び、プリント枚数確定後の確認画面を示した図である。
【図７】図７は、１コマプリント指定の操作及び処理手順を示したフローチャートである。
【図８】図８（Ａ）、（Ｂ）は、それぞれ全コマプリント指定のおけるプリント枚数設定画面、及び、プリント枚数確定後の確認画面である。
【図９】図９は、全コマプリント指定の操作及び処理手順を示したフローチャートである。
【図１０】図１０は、全コマプリント指定の操作及び処理手順の第２の実施の形態を示したフローチャートである。
【図１１】図１１は、全コマプリント指定の操作及び処理手順の第３の実施の形態を示したフローチャートである。
【図１２】図１２（Ａ）、（Ｂ）は、それぞれプリント指定の確認／解除を実行する際の表示画面、及び、プリント指定の解除実行後の確認画面を示した図である。
【図１３】図１３（Ａ）、（Ｂ）は、それぞれ全コマプリント指定解除モードにおける表示画面、及び、全コマプリント指定解除実行後の確認画面を示した図である。
【図１４】図１４（Ａ）、（Ｂ）は、それぞれプロテクトメニュー画面、及び、プロテクトの１コマ設定実行後の確認画面を示した図である。
【図１５】図１５は、プロテクトの１コマ設定の操作及び処理手順を示したフローチャートである。
【図１６】図１６は、全コマプロテクトの確認画面を示した図である。
【図１７】図１７は、プロテクトの全コマ解除実行後の確認画面である。
【符号の説明】
【００９６】
２８…液晶モニター、３０…モードスイッチ、３２…十字カーソルボタン、４２…表示ボタン、４４…キャンセルボタン、４６…メニュー／実行ボタン、５２…固体撮像素子（ＣＣＤ）、５４…アナログ信号処理回路、５８…デジタル信号処理回路、６０…メモリ（ＤＲＡＭ）、６２…圧縮伸張回路、６４…メモリカード、６６…中央処理装置（ＣＰＵ）
【図１】
2008005523.tif 000003
【図２】
2008005523.tif 000004
【図３】
2008005523.tif 000005
【図４】
2008005523.tif 000006
【図５】
2008005523.tif 000007
【図６】
2008005523.tif 000008
【図７】
2008005523.tif 000009
【図８】
2008005523.tif 000010
【図９】
2008005523.tif 000011
【図１０】
2008005523.tif 000012
【図１１】
2008005523.tif 000013
【図１２】
2008005523.tif 000014
【図１３】
2008005523.tif 000015
【図１４】
2008005523.tif 000016
【図１５】
2008005523.tif 000017
【図１６】
2008005523.tif 000018
【図１７】
2008005523.tif 000019
【手続補正書】
【提出日】平成19年8月15日(2007.8.15)
【手続補正１】
【補正対象書類名】明細書
【補正対象項目名】０００６
【補正方法】変更
【補正の内容】
【０００６】
しかしながら、上述のようにデジタルカメラでプリント指定できるようにした場合において、どのコマの画像をプリント指定しているかを確認するのに手間を要するという問題がある。
【手続補正２】
【補正対象書類名】明細書
【補正対象項目名】０００７
【補正方法】削除
【補正の内容】
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】変更
【補正の内容】
【００１０】
本発明はこのような事情に鑑みてなされたもので、プリント指定されたコマの画像を迅速に確認することができるデジタルカメラを提供することを目的とする。
【手続補正６】
【補正対象書類名】明細書
【補正対象項目名】００１１
【補正方法】変更
【補正の内容】
【００１１】
前記目的を達成するために請求項１に記載の発明は、撮像手段によって撮像した各コマの画像及び該画像をプリントする際に参照される各コマのプリント枚数の情報を記録媒体に記録すると共に、前記画像を表示する表示手段を備えたデジタルカメラにおいて、前記プリント枚数の情報によって１枚以上のプリントが指定された画像のみを前記表示手段に表示する再生機能を備えたことを特徴としている。
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】変更
【補正の内容】
【００１７】
本発明によれば、プリント指定されたコマの画像を迅速に確認することができるようになる。
【手続補正１３】
【補正対象書類名】明細書
【補正対象項目名】００１８
【補正方法】削除
【補正の内容】